(57)【要約】【課題】遊動釣糸ガイドの竿体に対する回転を防止することができる釣竿及びその製造方法を提供する。【解決手段】継合可能に構成された複数の竿体１０に釣糸を案内する複数の遊動釣糸ガイド２０が装着される釣竿において、複数の竿体１０の複数の遊動釣糸ガイド２０をそれぞれ装着する外周面１１の所定区域１２に、それぞれ遊動釣糸ガイド２０を係止する複数の凸部１２１を不連続的に設ける。その製造方法は、竿体１０における外周面１１の所定区域１２に凸部１２１が複数設けられるように印刷する印刷工程と、所定区域１２を加熱して凸部１２１を硬化させる硬化工程とを備える。【選択図】図３
2008125465.tif 000002
【特許請求の範囲】
【請求項１】
竿体に釣糸を案内する遊動釣糸ガイドが装着される釣竿において、
前記竿体の前記遊動釣糸ガイドを装着する外周面の所定区域に、前記遊動釣糸ガイドを係止する複数の凸部を設けたことを特徴とする釣竿。
【請求項２】
継合可能に構成された複数の竿体に釣糸を案内する複数の遊動釣糸ガイドが装着される釣竿において、
前記複数の竿体の前記複数の遊動釣糸ガイドをそれぞれ装着する外周面の所定区域に、それぞれ前記遊動釣糸ガイドを係止する複数の凸部を不連続的に設けたことを特徴とする釣竿。
【請求項３】
前記各遊動釣糸ガイドの前記所定区域と接触する面に、前記複数の凸部と離脱可能に係止する複数の凹部を設けたことを特徴とする請求項２に記載の釣竿。
【請求項４】
前記各竿体の前記所定区域にある複数の凸部は、少なくとも当該竿体の軸線方向に対して不連続的になっていることを特徴とする請求項２又は請求項３に記載の釣竿。
【請求項５】
前記各竿体の前記所定区域にある複数の凸部は、少なくとも当該竿体の円周方向に対して不連続的になっていることを特徴とする請求項２乃至請求項４のいずれか１項に記載の釣竿。
【請求項６】
前記複数の凸部は、いずれも部分的な球状体になっていることを特徴とする請求項２乃至請求項５のいずれか１項に記載の釣竿。
【請求項７】
前記凸部の表面を含めた前記所定区域は、すべて塗装層で覆われていることを特徴とする請求項２乃至請求項６のいずれか１項に記載の釣竿。
【請求項８】
前記凸部と前記外周面との間の部分を含めた前記所定区域は、すべて塗装層に覆われていることを特徴とする請求項２乃至請求項６のいずれか１項に記載の釣竿。
【請求項９】
前記凸部は、インキからなったものであることを特徴とする請求項２乃至請求項８のいずれか１項に記載の釣竿。
【請求項１０】
前記凸部は、０．１５〜０．３０ｍｍの範囲内の高さと０．５０〜１．００ｍｍの範囲内の直径を有することを特徴とする請求項６に記載の釣竿。
【請求項１１】
竿体における外周面の所定区域に凸部を複数設けるように印刷する印刷工程と、
前記所定区域を加熱して前記凸部を硬化させる硬化工程と、
を備えることを特徴とする釣竿の製造方法。
【請求項１２】
前記印刷工程の前に、前記竿体の遊動釣糸ガイドを装着する位置に対応して前記所定区域を決めた後、粗化させる粗化工程を備えることを特徴とする請求項１１に記載の釣竿の製造方法。
【請求項１３】
前記硬化工程の後に、前記所定区域に対してペンキを塗る塗装工程を備えることを特徴とする請求項１１又は請求項１２に記載の釣竿の製造方法。
【請求項１４】
前記粗化工程と前記印刷工程の間に、前記所定区域に対してペンキを塗る塗装工程を備えることを特徴とする請求項１１又は請求項１２に記載の釣竿の製造方法。
【発明の詳細な説明】
【技術分野】
【０００１】
本発明は、釣竿及びその製造方法に関し、特に遊動釣糸ガイドの竿体表面での回転を防止することができる釣竿及びその製造方法に関する。
【背景技術】
【０００２】
一本型であれ、継合型であれ、現在の釣竿は、通常、釣糸を案内する遊動釣糸ガイドが少なくとも一基装着される竿体を主体としている。この竿体は、従来では、成型されてから、表面粗化され、塗装されてなるのである。しかし、竿体は通常断面円形のものであるうえ、釣りに際しても釣糸の張力により遊動釣糸ガイドには回転力がかかるので、遊動釣糸ガイドが竿体の粗化だけ施された表面の摩擦抵抗に阻まれえず回転し始める。また、竿体そのものや遊動釣糸ガイド、継合部位などに釣糸が絡んだりして、切れることが多い。
【発明の開示】
【発明が解決しようとする課題】
【０００３】
前記問題に鑑みて、本発明は、その遊動釣糸ガイドが竿体にしっかりと係止保持され、釣りをする際に竿体に対して回転しにくい釣竿及びその製造方法を提供しようとすることを課題とする。
【課題を解決するための手段】
【０００４】
前記課題を解決するために、本発明は、竿体に釣糸を案内する遊動釣糸ガイドが装着される釣竿において、前記竿体の前記遊動釣糸ガイドを装着する外周面の所定区域に、前記遊動釣糸ガイドを係止する複数の凸部を設けたことを特徴とする釣竿を提供する。
【０００５】
具体的に言えば、本発明は、継合可能に構成された複数の竿体に釣糸を案内する複数の遊動釣糸ガイドが装着される釣竿において、前記複数の竿体の前記複数の遊動釣糸ガイドをそれぞれ装着する外周面の所定区域に、それぞれ前記遊動釣糸ガイドを係止する複数の凸部を不連続的に設けたことを特徴とする釣竿を提供する。
【０００６】
また、本発明は、竿体における外周面の所定区域に凸部を複数設けるように印刷する印刷工程と、前記所定区域を加熱して前記凸部を硬化させる硬化工程と、を備えることを特徴とする釣竿の製造方法を提供する。
【発明の効果】
【０００７】
前記本発明によれば、釣竿における竿体の遊動釣糸ガイドを装着する外周面の所定区域に、遊動釣糸ガイドを係止する複数の凸部が不連続的に設けられているので、遊動釣糸ガイドが竿体にしっかりと係止保持され、遊動釣糸ガイドの竿体に対する回転を防止することができる。
【発明を実施するための最良の形態】
【０００８】
以下、図面を参照しながら、本発明に係る釣竿及びその製造方法の実施形態を説明する。なお、以下の説明には、類似した部材について同一の符号を付与することにする。
【０００９】
図１は本発明の釣竿における竿体の部分断面正面図であり、図２は本発明の釣竿における竿体と遊動釣糸ガイドとの装着関係を示す正面図であり、図３は図２における３−３線断面図である。
【００１０】
本発明の実施形態としての釣竿は、一本型の釣竿として形成されても良く、継合型の釣竿として形成されても良いが、継合型の釣竿として形成される場合には、その竿体全体は、長手方向に沿って継合可能な複数の竿体１０から構成されている。複数の竿体１０には、そうでないものも偶にあるが、その多くは、釣糸を案内する遊動釣糸ガイド２０を遊動可能に装着され得るように構成されている。即ち、この実施形態としての釣竿は、その竿体全体に釣糸を案内する遊動釣糸ガイド２０が少なくとも１つ、好ましくは複数装着されるものである。
【００１１】
図１及び図３を併せて参照してみると、釣糸を案内する遊動釣糸ガイド２０が装着される竿体１０の外周面１１には、遊動釣糸ガイド２０を装着する所定区域１２がある。この所定区域１２には、遊動釣糸ガイド２０を係止する複数の凸部１２１が竿体１０の外周面１１から外へと突出するように設けられている。図示のように、この複数の凸部１２１は竿体１０の円周方向において不連続的になっているが、場合によっては、竿体１０の軸線方向Ｌにおいて不連続的になっていても良い。つまり、複数の凸部１２１は、少なくとも竿体１０の軸線方向Ｌ又は円周方向において不連続的になっていれば良い。また、本実施形態では、図１に示すように、凸部１２１の表面を含めた所定区域１２は、すべて塗装層１３Ａに覆われている。但し、図４に示すように、凸部１２１の表面でなく凸部１２１と外周面１１との間の部分を含めた所定区域１２が、塗装層１３Ｂに覆われるようになっていても良い。
【００１２】
この例においては、凸部１２１は、インキ（例えば台湾明太印刷機械株式会社の商品「SCREEN PRINTING INK 670A/670B」）からなったものである。また、複数の凸部１２１は、いずれも、０．１５〜０．３０ｍｍの範囲内の高さと０．５０〜１．００ｍｍの範囲内の直径を有する部分的な球状体になっている。
【００１３】
図２及び図３に示すように、竿体１０に装着される遊動釣糸ガイド２０は、正面視がレバーのような二端部を有するようになっており、その一端部は竿体１０に装着される装着筒２１となり、他端部は釣糸を案内するガイドリング２２になっている。図３に詳細に示すように、装着筒２１の内周面２１１、即ち竿体１０の外周面１１における所定区域１２と接触する面には、前記複数の凸部１２１と離脱可能に係止する複数の凹部２１２が形成されている。
【００１４】
前記構成によれば、遊動釣糸ガイド２０の装着筒２１における複数の凹部２１２が、竿体１０の所定区域１２にある複数の凸部１２１に係止され得るので、遊動釣糸ガイド２０は竿体１０にしっかりと回転不可能に保持される。そのため、釣りに際して釣糸の張力により遊動釣糸ガイド２０に回転力がかかる時、遊動釣糸ガイド２０の竿体１０に対する回転を防止することができ、竿体１０そのものや遊動釣糸ガイド２０、継合部位などに釣糸が絡んだり、切れたりすることを防ぐことができる。
【００１５】
次に、本発明に係る釣竿、特にその竿体１０の製造方法の実施形態を２つ説明する。その１つは、図１に示す竿体を製造する第１の実施形態であり、他の１つは、図４に示す竿体を製造する第２の実施形態である。
【００１６】
第１の実施形態の方法を図５のフローチャートに照らして説明すると、まず、竿体１０が成型された後、竿体１０の遊動釣糸ガイド２０を装着する位置に対応して所定区域１２を決めた後、竿体１０の外周面１１を粗化させる（第１工程）。
【００１７】
そして、鋼板の転写印刷で竿体１０の外周面１１における所定区域１２に凸部１２１が複数突出して設けられるように印刷する（第２工程）。
【００１８】
そして、６５℃〜８５℃の温度で、前記所定区域１２を加熱して、凸部１２１を硬化させる（第３工程）。
【００１９】
そして、凸部１２１の表面を含めた所定区域１２に対し、すべてペンキを塗って、塗装層１３Ａを形成する（第４工程）。
【００２０】
また、第２の実施形態の方法を図６のフローチャートに照らして説明すると、まず、竿体１０が成型された後、竿体１０の遊動釣糸ガイド２０を装着する位置に対応して所定区域１２を決めた後、竿体１０の外周面１１を粗化させる（第一工程）。
【００２１】
そして、前記竿体１０の外周面１１に対し、すべてペンキを塗って、塗装層１３Ｂを形成する（第二工程）。
【００２２】
そして、鋼板の転写印刷で竿体１０の外周面１１における所定区域１２に凸部１２１が複数突出して設けられるように印刷する（第三工程）。
【００２３】
そして、６５℃〜８５℃の温度で、前記所定区域１２を加熱して、凸部１２１を硬化させる（第四工程）。
【００２４】
これらの製造方法によれば、簡単な工程で遊動釣糸ガイド２０が竿体１０にしっかりと係止保持され、釣りをする際に竿体１０に対して回転しにくい釣竿を製造することができる。従って、竿体１０そのものや遊動釣糸ガイド２０、継合部位などに釣糸が絡んだり、切れたりすることを防ぐことができると共に、釣竿の使用耐久性もより長く延ばすことができる。
【００２５】
以上、本発明の好適な実施形態について説明したが、本発明は前記実施形態に限定して狭義に解釈されるものではなく、本発明の精神の範囲内において種々の変形や変更が可能である。
【図面の簡単な説明】
【００２６】
【図１】本発明の実施形態に係る釣竿における竿体の部分断面正面図。
【図２】本発明の釣竿における竿体と遊動釣糸ガイドとの装着関係を示す正面図。
【図３】図２における３−３線断面図。
【図４】本発明の釣竿における竿体の部分断面正面図。
【図５】第１実施形態の釣竿の製造方法を説明するためのフローチャート。
【図６】第２実施形態の釣竿の製造方法を説明するためのフローチャート。
【符号の説明】
【００２７】
１０…竿体
１１…外周面
１２…所定区域
１２１…凸部
１３Ａ，１３Ｂ…塗装層
２０…遊動釣糸ガイド
２１…装着筒
２１１…内周面
２１２…凹部
２２…ガイドリング
Ｌ…軸線
【図１】
2008125465.tif 000003
【図２】
2008125465.tif 000004
【図３】
2008125465.tif 000005
【図４】
2008125465.tif 000006
【図５】
2008125465.tif 000007
【図６】
2008125465.tif 000008